(57)【特許請求の範囲】
【請求項１】
入力信号が入力される状態と上記入力信号が入力されない状態とを繰り返すバースト動作に応じて外部直流電圧源がオンオフされ、上記外部直流電圧源から直流電圧が供給される高周波電力増幅器であって、
少なくとも１つ以上の電力増幅用バイポーラトランジスタから形成され、上記入力信号を増幅する電力増幅部と、
上記外部直流電圧源から供給される直流電圧から基準電圧を生成する基準電圧生成回路と、
少なくとも１つ以上のバイポーラトランジスタで形成され、上記基準電圧生成回路からの上記基準電圧に基づいて、上記電力増幅部の上記電力増幅用バイポーラトランジスタのベースにバイアス電流を供給するバイアス電流増幅部と
を備え、
上記基準電圧生成回路は、上記外部直流電圧源からの直流電圧が第１抵抗を介してコレクタに印加されるエミッタ接地の第１のバイポーラトランジスタと、上記第１のバイポーラトランジスタのコレクタとベースが接続され、上記第１のバイポーラトランジスタのベースとエミッタが接続され、コレクタに直流電圧が印加された第２のバイポーラトランジスタとを有し、上記第２のバイポーラトランジスタのエミッタは、第２抵抗を介して接地電位に接続され、上記第２抵抗にコンデンサを並列に接続し、上記第２のバイポーラトランジスタのエミッタから上記基準電圧を上記バイアス電流増幅部に出力し、
上記外部直流電圧源のオン直後は、上記基準電圧が０Ｖとなり、上記バイアス電流増幅部から上記電力増幅用バイポーラトランジスタに供給されるバイアス電流が増加した後、
上記外部直流電圧源がオンしてからの時間経過と共に、上記基準電圧生成回路からの上記基準電圧が高くなって、上記バイアス電流増幅部から上記電力増幅用バイポーラトランジスタに供給されるバイアス電流が減少することを特徴とする高周波電力増幅器。
【請求項２】
請求項１に記載の高周波電力増幅器において、
上記基準電圧生成回路の上記第２のバイポーラトランジスタのエミッタと上記第２抵抗との間に第３抵抗を接続したことを特徴とする高周波電力増幅器。
【発明の詳細な説明】
【技術分野】
【０００１】
この発明は、高周波電力増幅器に関し、特に第３世代携帯電話や無線ＬＡＮシステムなど高周波帯で使用される送信信号を増幅するのに好適な高周波電力増幅器に関するものである。
【背景技術】
【０００２】
従来の高周波電力増幅器の回路図を図４に示している。図４において、１１０は入力整合回路、１２０は出力整合回路、１３０はバイアス回路である。
【０００３】
この高周波電力増幅器の場合、動作する周波数に応じたインピーダンス変換用の整合回路が入出力端子に必要であり、電力増幅用バイポーラトランジスタＱ１のベース側に入力整合回路１１０が設けられ、コレクタ側に出力整合回路１２０が設けられている。また、この高周波電力増幅器は線形増幅器であるので、電力増幅用バイポーラトランジスタＱ１のバイアス点は、Ａ級ないしＡＢ級の動作点に一般的には設定され、直流電源Ｅ１により供給される直流電圧がバイアス回路１３０を介して電力増幅用バイポーラトランジスタＱ１のベース端子に入力される。また、直流電源Ｅ２からの直流電圧は、出力整合回路１２０を介して電力増幅用バイポーラトランジスタＱ１のコレクタ端子に供給される。
【０００４】
無線ＬＡＮなどの通信機器では、システムの送信時において、入力信号は常にオンしている訳ではなく、入力信号が入力されるオン状態と入力信号が入力されないオフ状態を繰り返すバースト動作をしている。入力信号が入力されないオフ状態では、システムの消費電力を抑制するために、高周波電力増幅器をバースト動作に同期させてオフする使用方法が多く使われている。図４の従来の高周波電力増幅器では、直流電源Ｅ１をバースト動作に同期させてオンオフさせるが、直流電源Ｅ２は常時オンとなる。
【０００５】
上記高周波電力増幅器において、バイポーラトランジスタＱ１は、それ自身が有する熱応答により、直流電源Ｅ１がパルス動作でオンした場合、オン直後と暫くオン状態のまま時間が経過した後では、電力増幅率が変化し、オン直後よりも一定時間経過後の方が電力増幅率は大きくなり、一定の値に収まっていく(例えば、非特許文献１参照)。
【０００６】
無線ＬＡＮシステムなどでは、直流電源Ｅ１のオン直後に電力をモニターする送信データ以外のモニター領域が存在する。そのモニター領域の電力値を使用して、受信側では、一定時間経過後のデジタル変調された信号の振幅データないし位相データなどを解析して信号の復調を行う。例えば、上記高周波電力増幅器から抵抗Ｒ１とコンデンサＣ１がない場合の出力信号の時間応答と復調信号の電力モニタータイミングを図５Ａに示している。図５Ａに示すように、直流電源Ｅ１のオン直後の電力モニター時よりも、実際のデータ領域の電力増幅率が大きくなっていると、基準となるモニター値とのズレが大きくなり、受信側で復調される信号に誤差が多く含まれて、正確な信号の復調が行われなくなる。
【０００７】
そのため、上記従来の高周波電力増幅器では、図４に示すように、抵抗Ｒ１とキャパシタンス素子の一例としてのコンデンサＣ１とを並列に接続した回路を、直流電源Ｅ１とバイアス回路１３０との間に直列に挿入する方式が一般に用いられている。この場合、直流電源Ｅ１のオン直後には容量１を介してバイアス回路１３０に瞬時電流が流れ込み、直流電源Ｅ１の直流電圧と同じ電圧がバイアス回路１３０に加えられる。バイアス回路１３０に加えられる電圧値は、抵抗Ｒ１とコンデンサＣ１で決まる時定数により、徐々に下がっていき、最終的には抵抗Ｒ１を流れる電流により電圧降下する分の値となる。そのため、増幅器は、電源オン直後は直流電源Ｅ１の直流電圧が印加され、バイアス点が高く設定され、電力増幅率が高くなるが、時間経過と共に抵抗Ｒ１に電流が流れて電圧降下する分、低いバイアス点で動作し、電力増幅率が小さくなる。これにより、熱応答による電力増幅率の補正を行っている。
【０００８】
上記バイアス回路１３０に供給される最終的な電圧値は、直流電源Ｅ１の電圧値よりも、抵抗Ｒ１を流れる電流により電圧降下する分だけ、小さい値となってしまう。バイアス回路１３０に供給する電圧値が小さい場合、この高周波電力増幅器が充分動作できるだけの値を確保するために、抵抗Ｒ１の抵抗値は極力小さくする必要が生じる。ところが、抵抗Ｒ１の抵抗値を極力小さくして、コンデンサＣ１の容量値も小さくし、時定数が小さくし過ぎると、図５Ｂに示すように、電力モニター時に補正に必要なだけの電力増幅率が得られなくなる。
【０００９】
そのため、コンデンサＣ１の容量値を大きくする必要が生じるが、コンデンサＣ１の容量値を大きくすると、図５Ｃに示すように電力モニター以前の出力信号のオーバーシュートが大きくなりすぎてしまう。
【００１０】
このように、コンデンサＣ１の容量値を大きくできず、しかも抵抗Ｒ１の抵抗値をあまり小さくできないため、直流電源Ｅ１の低電圧化に際し、抵抗Ｒ１による電圧降下を無視できなくなり、増幅器自身が動作するのに充分なバイアス電圧を得られなくなる。すなわち、上記の高周波電力増幅器では、低電圧動作への対応が容易でないという問題がある。
【非特許文献１】サン−ウォン・ヨン(Sang-Woong Yoon)著，「スタティック・アンド・ダイナミック・エラー・ベクター・マグニチュード・ビヘイビィア・オブ・２．４ＧＨz−パワー・アンプリファイア(Static and Dynamic Error Vector Magnitude Behavior of ２.４−GHz Power Amplifier)」，アイトリプルイー・トランザクションズ・オン・マイクロウェーブ・セオリー・アンド・テクニクス(IEEE TRANSACTIONS ON MICROWAVE THEORY AND TECHNIQUES)，米国，アイトリプルイー(ＩＥＥＥ)，２００７年４月(APRIL 2007)，第５５巻(VOL.５５)，第４号(NO.４)，ｐ．６４３−６４７
【発明の開示】
【発明が解決しようとする課題】
【００１１】
そこで、この発明の課題は、バースト動作に同期させて出力がオンオフされる直流電圧源からの直流電圧が供給される高周波電力増幅器において、簡単な構成で直流電圧源のオン後の電力増幅率を最適に補正して良好な通信を実現しつつ低電圧化も可能な高周波電力増幅器を提供することにある。
【課題を解決するための手段】
【００１２】
上記課題を解決するため、この発明の高周波電力増幅器は、
入力信号が入力される状態と上記入力信号が入力されない状態とを繰り返すバースト動作に応じて外部直流電圧源がオンオフされ、上記外部直流電圧源から直流電圧が供給される高周波電力増幅器であって、
少なくとも１つ以上の電力増幅用バイポーラトランジスタから形成され、上記入力信号を増幅する電力増幅部と、
上記外部直流電圧源から供給される直流電圧から基準電圧を生成する基準電圧生成回路と、
少なくとも１つ以上のバイポーラトランジスタで形成され、上記基準電圧生成回路からの上記基準電圧に基づいて、上記電力増幅部の上記電力増幅用バイポーラトランジスタのベースにバイアス電流を供給するバイアス電流増幅部と
を備え、
上記基準電圧生成回路は、上記外部直流電圧源からの直流電圧が第１抵抗を介してコレクタに印加されるエミッタ接地の第１のバイポーラトランジスタと、上記第１のバイポーラトランジスタのコレクタとベースが接続され、上記第１のバイポーラトランジスタのベースとエミッタが接続され、コレクタに直流電圧が印加された第２のバイポーラトランジスタとを有し、上記第２のバイポーラトランジスタのエミッタは、第２抵抗を介して接地電位に接続され、上記第２抵抗にコンデンサを並列に接続し、上記第２のバイポーラトランジスタのエミッタから上記基準電圧を上記バイアス電流増幅部に出力し、
上記外部直流電圧源のオン直後は、上記基準電圧が０Ｖとなり、上記バイアス電流増幅部から上記電力増幅用バイポーラトランジスタに供給されるバイアス電流が増加した後、
上記外部直流電圧源がオンしてからの時間経過と共に、上記基準電圧生成回路からの上記基準電圧が高くなって、上記バイアス電流増幅部から上記電力増幅用バイポーラトランジスタに供給されるバイアス電流が減少することを特徴とする。
【００１３】
上記構成の高周波電力増幅器によれば、外部直流電圧源のオン直後は、第２抵抗に並列に接続されたコンデンサを瞬時電流が流れるために、基準電圧生成回路の第２のバイポーラトランジスタのエミッタと接地との間の抵抗値は０Ωとなる。このとき、上記バイアス電流増幅部は、基準電圧生成回路からの基準電圧が低くなるので、電力増幅部の電力増幅用バイポーラトランジスタのベースに入力されるバイアス電流が増加する。そのため、上記電力増幅部の電力増幅用バイポーラトランジスタのバイアス点が上がって、電力増幅率が増える。そして、時間経過と共にコンデンサに流れる電流は減少し、第２抵抗を流れる電流のみとなる。そのため、基準電圧生成回路の第２のバイポーラトランジスタのエミッタと接地との間の抵抗値は、第２抵抗のみの抵抗値となる。この場合は、バイアス電流増幅部は、基準電圧生成回路からの基準電圧が高くなるので、電力増幅用バイポーラトランジスタのベースに入力されるバイアス電流が減少し、電力増幅部の電力増幅用バイポーラトランジスタのバイアス点は下がって、電力増幅率が低下する。
【００１４】
このように外部直流電圧源のオンから時間が経過すると、電力増幅率は、外部直流電圧源のオン直後に比べて小さくなるが、電力増幅率がその後のデータ領域と近づき、受信側で誤差の少ない復調が可能になる。これにより、バースト動作に同期させて出力がオンオフされる直流電源からの直流電圧が供給される高周波電力増幅器において、簡単な構成で直流電圧源のオン後の電力増幅率を最適に補正して良好な通信を実現しつつ低電圧化も可能な高周波電力増幅器を実現できる。
【００１５】
また、一実施形態の高周波電力増幅器では、上記基準電圧生成回路の上記第２のバイポーラトランジスタのエミッタと上記第２抵抗との間に第３抵抗を接続した。
【００１６】
上記実施形態によれば、上記基準電圧生成回路の第２のバイポーラトランジスタのエミッタと第２抵抗との間に第３抵抗を接続することによって、外部直流電圧源のオン直後はコンデンサを瞬時電流が上記第３抵抗により抑制されるために、基準電圧生成回路の第２のバイポーラトランジスタのエミッタと接地との間の抵抗値は第３抵抗の抵抗値以上となり、電力増幅率が大きくなり過ぎず、出力信号のオーバーシュートを抑えることができる。
【発明の効果】
【００１７】
以上より明らかなように、この発明の高周波電力増幅器によれば、バースト動作に同期させて直流電源の直流電圧がオンオフされる高周波電力増幅器において、簡単な構成で直流電源の電圧オン後の電力増幅率を最適に補正して良好な通信を実現しつつ低電圧化も可能な高周波電力増幅器を実現することができる。
【発明を実施するための最良の形態】
【００１８】
以下、この発明の高周波電力増幅器を図示の実施の形態により詳細に説明する。
【００１９】
〔第１実施形態〕
図１はこの発明の第１実施形態の高周波電力増幅器の回路図を示している。この第１実施形態の高周波電力増幅器は、図１に示すように、入力側に入力端子Ａが接続された入力整合回路１０と、上記入力整合回路１０の出力側にベースが接続され、エミッタが接地電位に接続された電力増幅部の一例としての電力増幅用のバイポーラトランジスタＱ１と、上記電力増幅用のバイポーラトランジスタＱ１のコレクタと入力が接続され、出力側が出力端子Ｂに接続された出力整合回路２０とを備えている。また、上記高周波電力増幅器は、外部直流電圧源の一例としての直流電源Ｅ１から供給される直流電圧から基準電圧を生成する基準電圧生成回路３０と、上記基準電圧生成回路３０からの基準電圧に基づいて、バイポーラトランジスタＱ１のベース端子にバイアス電流を供給するバイアス電流増幅部４０とを備えている。上記直流電源Ｅ１は、入力信号が入力される状態と入力信号が入力されない状態とを繰り返すバースト動作に応じて出力がオンオフされる。
【００２０】
上記基準電圧生成回路３０は、直流電源Ｅ１の正極側と一端が接続された抵抗Ｒ２(第１抵抗)と、上記抵抗Ｒ２の他端にコレクタが接続されたバイポーラトランジスタＱ２(第１のバイポーラトランジスタ)と、上記バイポーラトランジスタＱ２のエミッタと接地との間に接続された抵抗Ｒ３と、上記バイポーラトランジスタＱ２のコレクタにベースが接続され、エミッタがバイポーラトランジスタＱ２のベースに接続されたバイポーラトランジスタＱ３(第２のバイポーラトランジスタ)と、上記バイポーラトランジスタＱ３のエミッタと接地との間に接続された抵抗Ｒ１(第２抵抗)と、上記抵抗Ｒ１に並列に接続されたコンデンサＣ１とを有している。上記バイポーラトランジスタＱ３のコレクタに直流電源Ｅ２の正極側を接続している。
【００２１】
また、上記バイアス電流増幅部４０は、直流電源Ｅ１の正極側と一端が接続された抵抗Ｒ５と、上記抵抗Ｒ５の他端とコレクタが接続され、バイポーラトランジスタＱ３のエミッタにベースが接続されたエミッタ接地のバイポーラトランジスタＱ４と、上記バイポーラトランジスタＱ３のコレクタにベースが接続され、コレクタに直流電源Ｅ２の正極側が接続されたバイポーラトランジスタＱ５と、上記バイポーラトランジスタＱ５のエミッタと一端が接続された抵抗Ｒ６とを有している。上記抵抗Ｒ６の他端と電力増幅用のバイポーラトランジスタＱ１のベースを接続している。
【００２２】
上記バイポーラトランジスタＱ１〜Ｑ５は、ＮＰＮ型トランジスタである。
【００２３】
図１に示すように、バイポーラトランジスタＱ３のエミッタ側に、抵抗Ｒ１とコンデンサＣ１からなる並列回路を挿入していることにより、直流電源Ｅ１のオン直後はコンデンサＣ１に瞬時電流が流れるために、バイポーラトランジスタＱ３のエミッタと接地との間の抵抗値は０Ωに見える。このとき、基準電圧生成回路３０から出力される基準電圧は０Ｖとなり、バイアス電流増幅部４０において、抵抗Ｒ５を流れる電流が増加し、直流増幅用のバイポーラトランジスタＱ５のベース電流が増加する。そのため、電力増幅用のバイポーラトランジスタＱ１のベースに入力されるバイアス電流が増えて、電力増幅率が増える。そして、時間経過と共にコンデンサＣ１を流れる電流は減少し、抵抗Ｒ１を流れる電流のみとなる。そのため、バイポーラトランジスタＱ３のエミッタと接地との間の抵抗値は、抵抗Ｒ１のみの抵抗値となり、この場合、電力増幅用のバイポーラトランジスタＱ１のベースに入力されるバイアス電流が減少する。
【００２４】
これによって、上記高周波電力増幅器の電力増幅率は、直流電源Ｅ１のオン直後に比べ小さくなるが、このときの出力信号の時間応答と信号モニターのタイミングは、図２Ａに示されるように、電力増幅率がその後のデータ領域と近づき、誤差の少ない復調が可能になる。また、直流電源Ｅ１の直流電圧は電圧降下が発生しないため、低電圧化にも対応可能となる。
【００２５】
〔第２実施形態〕
図３にこの発明の第２実施形態の高周波電力増幅器の回路図を示している。この第２実施形態の高周波電力増幅器は、基準電圧生成回路を除いて第１実施形態の高周波電力増幅器と同一の構成をしており、同一構成部は同一参照番号を付して説明を省略する。
【００２６】
上記第２実施形態の高周波電力増幅器の基準電圧生成回路５０は、直流電源Ｅ１の正極側と一端が接続された抵抗Ｒ２(第１抵抗)と、上記抵抗Ｒ２の他端にコレクタが接続されたバイポーラトランジスタＱ２(第１のバイポーラトランジスタ)と、上記バイポーラトランジスタＱ２のエミッタと接地との間に接続された抵抗Ｒ３と、上記バイポーラトランジスタＱ２のコレクタにベースが接続され、エミッタがバイポーラトランジスタＱ２のベースに接続されたバイポーラトランジスタＱ３(第２のバイポーラトランジスタ)と、上記バイポーラトランジスタＱ３のエミッタに一端が接続された抵抗Ｒ４(第３抵抗)と、上記抵抗Ｒ４の他端と接地との間に接続された抵抗Ｒ１(第２抵抗)と、上記抵抗Ｒ１に並列に接続されたコンデンサＣ１とを有している。上記バイポーラトランジスタＱ３のコレクタに直流電源Ｅ２の正極側を接続している。
【００２７】
上記バイポーラトランジスタＱ３のエミッタ側より抵抗Ｒ４を介して接地されている部分に、抵抗Ｒ１とコンデンサＣ１からなる並列回路を挿入していることにより、直流電源Ｅ１のオン直後は、コンデンサＣ１を瞬時電流が流れるために、バイポーラトランジスタＱ３のエミッタと接地との間の抵抗値は、抵抗Ｒ４の抵抗値のみに見える。このとき、基準電圧生成回路３０から出力される基準電圧は、抵抗Ｒ４の抵抗値の電圧降下分となり、バイアス電流増幅部４０において、抵抗Ｒ５を流れる電流が増加し、直流増幅用のバイポーラトランジスタＱ５のベース電流が増加する。そのため、電力増幅用のバイポーラトランジスタＱ１のバイアス点が上がり、電力増幅率が増える。そして、時間経過と共にコンデンサＣ１を流れる電流は減少し、抵抗Ｒ１を流れる電流のみとなる。そのため、バイポーラトランジスタＱ３のエミッタと接地との間の抵抗値は、〔抵抗Ｒ１の抵抗値＋抵抗Ｒ４の抵抗値〕となり、この場合は電力増幅用のバイポーラトランジスタＱ１のバイアス点は下がる。
【００２８】
これによって、上記高周波電力増幅器の電力増幅率は、直流電源Ｅ１のオン直後に比べ小さくなるが、このときの出力信号の時間応答と信号モニターのタイミングは、図２Ｂに示されるように、電力増幅率がその後のデータ領域に近づき、誤差の少ない復調が可能になる。また、直流電源Ｅ１の直流電圧は電圧降下が発生しないため、低電圧化にも対応可能となる。
【００２９】
また、上記高周波電力増幅器では、基準電圧生成回路５０の第２のバイポーラトランジスタＱ３のエミッタと抵抗Ｒ１(第２抵抗)との間に抵抗Ｒ４(第３抵抗)を接続することによって、直流電源Ｅ１のオン直後はコンデンサＣ１を瞬時電流が抵抗Ｒ４により抑制されるために、基準電圧生成回路５０の第２のバイポーラトランジスタＱ３のエミッタと接地との間の抵抗値は抵抗Ｒ４の抵抗値となり、電力増幅率が大きくなり過ぎず、出力信号のオーバーシュートを図２Ｂに示す様に抑えることができる。
【００３０】
上記第１,第２実施形態では、ＮＰＮ型トランジスタを用いたが、ＰＮＰ型トランジスタを用いて回路を構成してもよく、この場合、電源側と接地電位とは極性が逆になる。
【００３１】
また、上記第１,第２実施形態バイアス電流増幅部４０の回路構成に限らず、基準電圧生成回路からの基準電圧が高くなるほどバイアス電流を大きくする一方、基準電圧が低くなるほどバイアス電流を小さくする回路構成のバイアス電流増幅部であればよい。
【００３２】
この発明の具体的な実施の形態について説明したが、この発明は上記第１,第２実施形態に限定されるものではなく、この発明の範囲内で種々変更して実施することができる。
【００３３】
すなわち、  入力信号が入力される状態と上記入力信号が入力されない状態とを繰り返すバースト動作に応じて外部直流電圧源がオンオフされ、上記外部直流電圧源から直流電圧が供給される高周波電力増幅器であって、
少なくとも１つ以上の電力増幅用バイポーラトランジスタから形成され、上記入力信号を増幅する電力増幅部と、
上記外部直流電圧源から供給される直流電圧から基準電圧を生成する基準電圧生成回路と、
少なくとも１つ以上のバイポーラトランジスタで形成され、上記基準電圧生成回路からの上記基準電圧に基づいて、上記電力増幅部の上記電力増幅用バイポーラトランジスタのベースにバイアス電流を供給するバイアス電流増幅部と
を備え、
上記バイアス電流増幅部は、上記基準電圧生成回路からの上記基準電圧が高くなるほど上記バイアス電流を大きくする一方、上記基準電圧が低くなるほど上記バイアス電流を小さくすると共に、
上記基準電圧生成回路は、上記外部直流電圧源からの直流電圧が第１抵抗を介してコレクタに印加されるエミッタ接地の第１のバイポーラトランジスタと、上記第１のバイポーラトランジスタのコレクタとベースが接続され、上記第１のバイポーラトランジスタのベースとエミッタが接続され、コレクタに直流電圧が印加された第２のバイポーラトランジスタとを有し、上記第２のバイポーラトランジスタのエミッタは、第２抵抗を介して接地電位に接続され、上記第２抵抗にコンデンサを並列に接続し、上記第２のバイポーラトランジスタのエミッタから上記基準電圧を上記バイアス電流増幅部に出力することを特徴とするものであればよい。
【００３４】
上記第１,第２実施形態では１つの電力増幅用バイポーラトランジスタからなる電力増幅器を備えた高周波電力増幅器について記載しているが、より大きな電力を増幅するために、複数並列接続されたバイポーラトランジスタを電力増幅部に用いても良い。更には、増幅率を上げるために、高周波電力増幅器を複数直列接続する構成にしてもよいし、電力増幅用バイポーラトランジスタを複数直列接続する構成にしてもよい。
【図面の簡単な説明】
【００３５】
【図１】図１はこの発明の第１実施形態の高周波電力増幅器の回路図である。
【図２Ａ】図２Ａは上記第１実施形態の高周波電力増幅器による時間応答と復調信号のモニタータイミングを示す図である。
【図２Ｂ】図２Ｂはこの発明の第２実施形態の高周波電力増幅器による時間応答と復調信号のモニタータイミングを示す図である。
【図３】図３はこの発明の第２実施形態の高周波電力増幅器の回路図である。
【図４】図４は従来の第１の高周波電力増幅器を示す回路図である。
【図５Ａ】図５Ａは抵抗とコンデンサがない場合の出力信号の時間応答と復調信号のモニタータイミングを示す図である。
【図５Ｂ】図５Ｂは出力信号の時間応答と復調信号のモニタータイミングを示す図である。
【図５Ｃ】図５Ｃはコンデンサの容量値を大きくした場合の出力信号の時間応答と復調信号のモニタータイミングを示す図である。
【符号の説明】
【００３６】
Ｑ１〜Ｑ５…バイポーラトランジスタ
Ｒ１〜Ｒ６…抵抗
Ｃ１…コンデンサ
Ｅ１,Ｅ２…直流電源
Ａ…入力端子
Ｂ…出力端子
【図１】
0004901804.tif 000002
【図２Ａ】
0004901804.tif 000003
【図２Ｂ】
0004901804.tif 000004
【図３】
0004901804.tif 000005
【図４】
0004901804.tif 000006
【図５Ａ】
0004901804.tif 000007
【図５Ｂ】
0004901804.tif 000008
【図５Ｃ】
0004901804.tif 000009